(57)【要約】【課題】休止状態から通常状態へ復帰できないような不具合が発生しても、装置を正常に復帰させて処理を開始可能とすることを目的とする。【解決手段】第１ＲＴＣと第２ＲＴＣを備えて、第２ＲＴＣに時刻指定処理の処理開始時刻よりシステムをリブートするために必要なリブート時間以上前の時刻を設定し、第１ＲＴＣに第２ＲＴＣの設定時刻よりさらにシステムを復帰させるために必要なシステム復帰時間以上前の時刻を設定する。そして、第１ＲＴＣのアラームによってスリープモードからの復帰処理を行って第２ＲＴＣのアラームをクリアする。また、正常に復帰しなかった場合に、第２ＲＴＣのアラームによって（３００）、リカバリ信号を出力する。この時システムの状態に応じてシステムリセットまたはシステム復帰要求を行う（３０２〜３１０）。【選択図】図７
2009055393.tif 000002
【特許請求の範囲】
【請求項１】
電源供給が必要な部分に対して電源供給する通常状態と、予め定めた条件が満たされた場合に、前記通常状態に対して予め定めた部分の電源供給を制限する休止状態と、の各状態に電源供給状態を移行させると共に、装置を構成する各機器に対して各状態へ移行させるための制御を行う制御手段と、
前記制御手段によって前記休止状態に移行されている場合に、予め指定された時刻に前記通常状態へ復帰させる復帰手段と、
前記復帰手段によって前記休止状態から前記通常状態へ正常復帰したか否かを監視して、正常復帰していないと判断した場合に、前記通常状態へ復帰するように装置を復活させる復活手段と、
を備えた情報処理装置。
【請求項２】
前記復活手段は、予め指定された時刻より装置を再起動させるために必要な時間以上前の時刻に装置を復活させることを特徴とする請求項１に記載の情報処理装置。
【請求項３】
前記復帰手段は、前記復活手段が装置を復活させる時刻より装置を復帰させるために必要な時間以上前の時刻に前記通常状態に復帰させることを特徴とする請求項２に記載の情報処理装置。
【請求項４】
前記復活手段は、前記制御手段の電源供給要求の状態に応じて異なる、装置を復活させるための復活信号を前記制御手段に出力することを特徴とする請求項２又は請求項３に記載の情報処理装置。
【請求項５】
前記復活手段は、前記制御手段によって電源供給要求が行われている場合に、装置を再起動するための再起動信号を前記復活信号として前記制御手段に出力し、前記制御手段によって電源供給要求が行われていない場合に、前記通常状態へ復帰させるための復帰信号を前記復活信号として前記制御手段に出力することを特徴とする請求項４に記載の情報処理装置。
【請求項６】
前記復帰手段及び前記復活手段はそれぞれ時計を含み、前記休止状態へ移行する際に、何れか一方の時計に他方の時計を合わせることを特徴とする請求項１〜５の何れか１項に記載の情報処理装置。
【発明の詳細な説明】
【技術分野】
【０００１】
本発明は、情報処理装置に関する。
【背景技術】
【０００２】
情報処理装置には、機器への操作等が所定時間以上行われない場合に、予め定めた機能以外へ通電の通電を停止して消費電力を削減する、所謂スリープモードへ移行するものがある。また、予め定めた時間が経過または時刻になるとタイマ機能によってスリープモードから通常の通電状態であり情報処理装置の機能が発揮できる通常状態に復帰して処理を開始するものもある。
【０００３】
一方、プリンタ機能、ファクシミリ機能、コピー機能等の複数の機能を搭載した複合機では、様々なサービスが搭載されつつあり、指定された時刻になると所定の処理を実行させることも可能となってきている。
【０００４】
また、このような複合機では、スリープモード等の低電力モードにおいて、時刻指定送信のための待機ファイルなどがあると、ＣＰＵで時間の判断を行って、その指定した時間に送信を実行させるためにＣＰＵをスリープ状態にすることができなかった。
【０００５】
そこで、特許文献１に記載の技術では、リアルタイムクロック（ＲＴＣ）を使用することによってシステム全体をスリープモードへ移行可能にすることを提案している。
【特許文献１】特開２００２−３００３２９号公報
【発明の開示】
【発明が解決しようとする課題】
【０００６】
しかしながら、特許文献１に記載の技術では、時刻指定された処理が設定された場合でもシステム全体をスリープモード（休止状態）へ移行することができるものの、時刻指定のような処理では、その機能の性質上、夜間や休日といった時間帯で装置周辺が無人であることが考えられ、このような場合に休止状態から通常状態への復帰が失敗するような不具合が発生すると人手による回復処理ができないことが考えられるので、本発明では、休止状態から通常状態へ復帰できないような不具合が発生しても、装置を正常に復帰させて処理を開始可能とすることを目的とする。
【課題を解決するための手段】
【０００７】
上記目的を達成するために請求項１に記載の発明は、電源供給が必要な部分に対して電源供給する通常状態と、予め定めた条件が満たされた場合に、前記通常状態に対して予め定めた部分の電源供給を制限する休止状態と、の各状態に電源供給状態を移行させると共に、装置を構成する各機器に対して各状態へ移行させるための制御を行う制御手段と、前記制御手段によって前記休止状態に移行されている場合に、予め指定された時刻に前記通常状態へ復帰させる復帰手段と、前記復帰手段によって前記休止状態から前記通常状態へ正常復帰したか否かを監視して、正常復帰していないと判断した場合に、前記通常状態へ復帰するように装置を復活させる復活手段と、を備えることを特徴としている。
【０００８】
請求項２に記載の発明は、請求項１に記載の発明において、前記復活手段は、予め指定された時刻より装置を再起動させるために必要な時間以上前の時刻に装置を復活させることを特徴としている。
【０００９】
請求項３に記載の発明は、請求項２に記載の発明のおいて、前記復帰手段は、前記復活手段が装置を復活させる時刻より装置を復帰させるために必要な時間以上前の時刻に前記通常状態に復帰させることを特徴としている。
【００１０】
請求項４に記載の発明は、請求項２又は請求項３に記載の発明において、前記復活手段は、前記制御手段の電源供給要求の状態に応じて異なる、装置を復活させるための復活信号を前記制御手段に出力することを特徴としている。
【００１１】
請求項５に記載の発明は、請求項４に記載の発明において、前記復活手段は、前記制御手段によって電源供給要求が行われている場合に、装置を再起動するための再起動信号を前記復活信号として前記制御手段に出力し、前記制御手段によって電源供給要求が行われていない場合に、前記通常状態へ復帰させるための復帰信号を前記復活信号として前記制御手段に出力することを特徴としている。
【００１２】
請求項６に記載の発明は、請求項１〜５の何れか１項に記載の発明において、前記復帰手段及び前記復活手段はそれぞれ時計を含み、前記休止状態へ移行する際に、何れか一方の時計に他方の時計を合わせることを特徴としている。
【発明の効果】
【００１３】
請求項１の発明によれば、休止状態から通常状態へ復帰できないような不具合が発生しても、装置を正常に復帰させて処理を開始することが可能となる、という効果がある。
【００１４】
請求項２に記載の発明によれば、装置を再起動しても指定された時刻に処理を開始することが可能となる、という効果がある。
【００１５】
請求項３に記載の発明によれば、休止状態から通常状態への復帰に失敗しても装置を再起動して指定された時刻に処理を開始することが可能となる、という効果がある。
【００１６】
請求項４に記載の発明によれば、装置の状態に応じて装置を通常状態へ復帰させることができる、という効果がある。
【００１７】
請求項５に記載の発明によれば、装置の状態に応じて装置を通常状態へ復帰させることができる、という効果がある。
【００１８】
請求項６に記載の発明によれば、指定された時刻に正確に装置を通常状態へ復帰させることができる、という効果がある。
【発明を実施するための最良の形態】
【００１９】
以下、図面を参照して本発明の実施の形態の一例を詳細に説明する。図１は、本発明の実施の形態に係わる情報処理装置の概略構成を示すブロック図である。なお、本発明の実施の形態に係わる情報処理装置は、コピー機能、ファクシミリ機能、プリンタ機能等の複数の機能を備えた画像形成装置の各種処理を行う情報処理装置を一例として説明する。
【００２０】
図１に示すように、本発明の実施の形態に係わる情報処理装置１０は、システム制御部１２と、システムの監視を行うシステム監視部１４と、を備えている。
【００２１】
システム制御部１２には、画像形成を行って画像を出力する画像出力部１６、スキャナ等によって画像を入力する画像入力部１８、ファクシミリ機能を制御するファクシミリ（ＦＡＸ）機能部２０、外部のネットワーク２２に対して画像出力部１６で画像を出力するための画像データ等のデータの送受信を行うＩ／Ｏ（input/output）部２４、画像形成装置の各種操作を行うための操作パネル２６が接続されている。
【００２２】
また、システム制御部１２には、システム監視部１４が接続されており、システム制御部１２の動作を監視するようになっている。
【００２３】
システム制御部１２は、周辺機器（画像出力部１６、画像入力部１８、ＦＡＸ機能部２０、Ｉ／Ｏ部２４、操作パネル２６等）の制御を行うと共に、電源供給部３０から供給される電力供給を制御して、省エネ制御を行うようになっている。省エネ制御は、詳細には、システム制御部１２は、所定時間以上周辺機器の動作や操作パネル２６への操作が行われなかった場合や、スリープモードへ移行するための所定の操作が操作パネル２６に行われた場合などの条件が満たされた場合に、電源供給部３０から供給される電力の供給を一部に限定して供給し、他の部分については電源供給を停止することによって、スリープモードへ移行するように制御する。
【００２４】
また、システム制御部１２及びシステム監視部１４には、ＲＴＣ（Real Time Clock）をそれぞれ備えており、システム制御部１２には第１ＲＴＣ３０を備え、システム監視部１４には第２ＲＴＣ３２を備えている。
【００２５】
第１ＲＴＣ３０は、システムの時刻制御や時刻指定処理（例えば、予め定めた時刻にファクシミリ送信やメール送信等を行う処理）を行うための時刻を計数する時計であり、スリープモードへ移行している場合には、第１ＲＴＣのアラームによってスリープモードを解除して時刻指定処理を行う。
【００２６】
また、第２ＲＴＣは、時刻指定処理で指定された時刻に間に合うようにシステムが通常状態へ復帰しているかを監視する時計である。
【００２７】
第２ＲＴＣ３２の設定時刻は、図２に示すように、時刻指定処理の処理開始時刻よりシステムをリブートするために必要なリブート時間以上前の時刻が設定され、また、第１ＲＴＣ３０には第２ＲＴＣ３２の設定時刻よりさらにシステムを通常状態へ復帰させるために必要なシステム復帰時間以上前の時刻が設定されるようになっている。なお、それぞれのＲＴＣの設定時刻は、信号の遅れ時間等を考慮した時刻を設定する方が好ましく、例えば、第２ＲＴＣ３２の設定時刻は、時刻指定処理の処理開始時刻よりシステムをリブートするために必要な時間と所定時間（例えば、信号遅延時間等により定めた時間や各ＲＴＣ間の時差）を足した時間以上前の時刻を設定するのが好ましく、第１ＲＴＣ３０の設定時刻は、第２ＲＴＣ３２の設定時刻よりシステムを通常状態へ復帰させるために必要なシステム復帰時間及び所定時間（例えば、信号遅延時間等により定めた時間や各ＲＴＣ間の時差）を足した時間以上前の時刻を設定するのが好ましい。
【００２８】
すなわち、システム制御部１２は、上述した所定時間以上周辺機器の動作や操作パネル２６への操作が行われなかった場合や、所定の操作が操作パネル２６に行われた場合などの条件条件が満たされた場合に、スリープモードへ移行して、電源供給部３０から供給される電力の供給を一部に限定して、他の部分への電力供給を停止する。この時時刻指定処理が設定されていれば、第１ＲＴＣ３０及び第２ＲＴＣ３２に対して上述した時刻を設定してスリープモードへ移行する。
【００２９】
そして、復帰の場合には、まず第１ＲＴＣ３０のアラームによってシステムを復帰させ、正常に通常状態へ復帰できた場合には第２ＲＴＣ３２のアラームを事前にキャンセルし、指定された時刻に処理を開始する。一方、第１ＲＴＣ３０のアラームによって正常に通常状態への復帰処理が行われない場合には、第２ＲＴＣ３２のアラームがキャンセルされないので、第２ＲＴＣ３２のアラームが発生する。この時システムの状態に応じてシステムリセットまたはシステム復帰要求を行う。すなわち、第２ＲＴＣ３２のアラーム時間はシステム再起動時間より前に設定されるので、システムが再起動した場合であっても指定された時刻に時刻指定処理の開始時刻前に正常に通常状態へ復帰して処理を開始することができる。
【００３０】
次に、本発明の実施の形態に係わる情報処理装置１０の詳細な構成について説明する。図３は、本発明の実施の形態に係わる情報処理装置１０の詳細な構成を示すブロック図である。
【００３１】
システム制御部１２は、図３に示すように、ＣＰＵ３４、ＲＡＭ３６、ＲＯＭ３８、操作パネル制御部４０、画像入力インターフェース（Ｉ／Ｆ）４２、画像出力インターフェース（Ｉ／Ｆ）４４、Ｉ／Ｏ制御部４６、第１ＲＴＣ３０、及び電源供給制御部４８がシステムバス５２に接続されている。
【００３２】
ＣＰＵ３４、ＲＡＭ３６、及びＲＯＭ３８は、システム全体の制御を行うコンピュータとして機能し、操作パネル制御部４０は、システム制御部１２に接続された操作パネル２６の指示を入力すると共に、操作パネル２６への表示等の制御を行う。また、画像入力Ｉ／Ｆ４２は画像入力部１８のインターフェースとして機能し、画像出力Ｉ／Ｆ４４は画像出力部１６のインターフェースとして機能し、Ｉ／Ｏ制御部４６はネットワーク２２に対するデータの送受信を制御する。
【００３３】
電源供給制御部４８は、スリープモードへの移行や通常状態への復帰の際に周辺機器に対する処理（例えば、スリープ移行通知や復帰通知などの出力）を行うと共に、ＣＰＵ３４からの指示に応じて、スリープモード移行時の電源オフ制御を行う。またスリープモード中は各モジュールからの復帰要求を監視しており、各モジュールからの復帰要求があった場合にスリープモードから通常状態へ復帰させるために＃パワーオン信号を発生させ、ＣＰＵ３４による復帰処理を開始させる。
【００３４】
また、システム監視部１４は、図３に示すように、システムバス５２に第２ＲＴＣ３２が接続されていると共に、リカバリ信号発生部５０が接続されている。リカバリ信号発生部５０は、第２ＲＴＣ３２のアラームが発生した場合に、システム制御部１２の電源供給制御部４８に対してシステム復帰要求、またはシステムリセットの指示を出力するようになっている。
【００３５】
一方、電源供給部２８は、システム制御部１２及びシステム監視部１４に主電源を供給し、システム制御部１２のＩ／Ｏ制御部４６、第１ＲＴＣ３０、及び電源供給制御部４８、並びにシステム監視部１４のリカバリ信号発生部５０及び第２ＲＴＣ３２に常時供給電源を供給する。そして、スリープモード移行時には、常時供給電源以外の電源供給を停止する。本実施の形態では、スリープモードへ移行した場合には、電源供給が常時供給電源に制限され、他の主電源の供給が停止されるようになっている。
【００３６】
スリープモードから通常状態へ復帰する際、すなわち、第１ＲＴＣ３０から電源供給制御部４８に復帰要求が出力された場合には、電源供給制御部４８は電源供給部２８に対して電源供給要求信号（＃パワーオン信号）を出力する。また、電源の電圧が安定したところで電源供給部３０は電源準備完了信号を出力された後、ＣＰＵ３４によってシステム復帰処理を行う。ここで、正常に復帰処理ができた場合には、第２ＲＴＣ３２のアラームの設定をクリアし、指定された時刻になったところで時刻指定処理を開始する。なお、「＃」はローアクティブを示す。
【００３７】
一方、正常に通常状態へ復帰できなかった場合には、第２ＲＴＣ３２がリカバリ信号発生部にアラームを出力する。このとき、リカバリ信号発生部５０は、電源供給制御部４８からの電源供給信号を監視して、その信号の状態に応じてシステムリカバリ信号（本実施の形態では、＃システム復帰信号または＃システムリセット信号）を出力する。この時のリカバリ信号発生部５０から出力されるシステムリカバリ信号の出力状態は、図４に示す真理値表に示す通りである。すなわち、第２ＲＴＣ３２からアラームが発生した（Ｈ）場合には、電源供給制御部４８からの出力状態に応じてシステムリカバリ信号を出力する。具体的には、電源供給制御部４８から電源供給部３０に対して＃パワーオン信号がアサート（Ｌ）されていれば復帰処理中にシステムがハングアップしているものと判断し、＃システムリセット信号をシステム制御部１２に対してアサート（Ｌ）し、システムをリブートする。一方、電源供給制御部４８から電源供給部３０に対して＃パワーオン信号がアサート（Ｌ）されていなかった場合には、何らかの要因で、第１ＲＴＣ３０からの復帰要求が受け入れられなかったものと判断して、電源供給制御部４８に対して＃システム復帰信号をアサート（Ｌ）し、システムを復帰させる。この時、上述のように第１ＲＴＣ３０及び第２ＲＴＣ３２の時刻を設定するので、システムリブートやシステム復帰を行ったとしても、その時間まで考慮して各ＲＴＣの時刻が設定されているため、時刻指定処理で設定されて時刻を遅れることはない。なお、第２ＲＴＣ３２からアラームが発生しない場合には、正常に復帰が行われて、第２ＲＴＣ３２のアラームがクリアされたものと考えられるので、システムリカバリ信号は出力されない。
【００３８】
続いて、上述のように構成された情報処理装置１０のＣＰＵ３４で行われる制御の一例について説明する。
【００３９】
まず、スリープモードへ移行する際の処理について説明する。図５は、本発明の実施の形態に係わる情報処理装置１０において、スリープモードへ移行する際のＣＰＵ３４で行われる処理の流れの一例を示すフローチャートである。
【００４０】
スリープモードへ移行する際には、まずステップ１００では、所定時間の間、処理・操作がないか否か判定され、該判定が否定された場合には再度所定時間の間、処理・操作がないかを監視する。判定が肯定された場合にはステップ１０２へ移行する。
【００４１】
ステップ１０２では、スリープモード移行準備処理が行われる。すなわち、各周辺機器に対して、スリープモードへの移行通知を出力し、各周辺機器毎に必要なスリープモードへの移行処理を行う。
【００４２】
次にステップ１０４では、時刻指定処理があるが否か判定される。該判定は、操作パネル２６等の操作によって時刻指定処理が設定されているか否かを判定し、該判定が否定された場合にはステップ１１２へ移行して、スリープモード移行処理を行うことによって電源供給制御部４８へ電源オフ通知を行って、常時供給電源以外の電源をオフして一連の処理を終了する。
【００４３】
一方、ステップ１０４の判定が肯定された場合にはステップ１０６へ移行して、２つのＲＴＣのずれを最小化するために、２つのＲＴＣのうち一方を基準に他方の時刻を合わせる。なお、第１ＲＴＣ３０はシステム全体の時刻を管理しているので、第１ＲＴＣ３０に第２ＲＴＣ３２を合わせる方が好ましい。
【００４４】
次にステップ１０８では、第２ＲＴＣ３２のアラーム時刻がセットされたステップ１１０へ移行する。すなわち、設定されている時刻指定処理の中で一番早い時刻を検索して、その時刻を基準に第２ＲＴＣ３２のセットすべき時刻を算出して設定する。この時の設定値は、第２ＲＴＣアラーム時刻≦処理開始時刻−ｔ２を満たす必要がある。なお、ｔ２はリブート時間を示す。
【００４５】
続いてステップ１１０では、第１ＲＴＣ３０のアラーム時刻がセットされてステップ１１２へ移行する。すなわち、第２ＲＴＣ３２の設定値を基準として第１ＲＴＣ３０にセットする時刻を算出して設定する。この時の設定値は、第１ＲＴＣアラーム時刻≦第２ＲＴＣアラーム時刻−ｔ１を満たす。なお、ｔ１はスリープモードから通常状態に復帰するのに必要な復帰時間を示す。
【００４６】
そして、ステップ１１２では、スリープモード移行処理が行われて一連の処理を終了する。すなわち、電源供給制御部４８へ電源オフ通知が出力されて、常時供給電源以外の電源がオフされてスリープモードへ移行する。
【００４７】
次に、時刻指定処理のためにスリープモードから通常状態へ復帰する際の処理について説明する。図６は、本発明の実施の形態に係わる情報処理装置１０において、時刻指定処理によりスリープモードから障害なく正常に通常状態へ復帰する際のＣＰＵ３４で行われる処理の流れの一例を示すフローチャートである。
【００４８】
スリープモード中に第１ＲＴＣ３０にセットされた時刻になると、ステップ２００では、第１ＲＴＣ３０のアラームが発生されて２０２へ移行する。これによって、電源供給制御部４８は電源供給部３０対して＃パワーオン信号を出力して電源供給を要求する。
【００４９】
そして、電圧が安定して、電源準備完了信号が電源供給部３０よりアサートされると、ステップ２０２では、復帰処理が開始される。復帰処理は、必要な周辺機器に対して、退避していたデータの書き戻しや再起動処理などを実行する。
【００５０】
続いて、ステップ２０４では、復帰処理が正常に行われると復帰処理の最終段として第２ＲＴＣ３２のアラームがクリアされて、ステップ２０６へ移行する。
【００５１】
ステップ２０６では、時刻指定処理で指定された時刻になったか否か判定され、該判定が肯定されるまで待機してステップ２０８へ移行する。
【００５２】
ステップ２０８では、時刻指定処理が行われて一連の処理を終了する。
【００５３】
次に、時刻指定処理によりスリープモードから通常状態へ復帰する際に障害が発生して正常に復帰できない場合のＣＰＵ３４で行われる処理について説明する。図７は、本発明の実施の形態に係わる情報処理装置１０において、時刻指定処理によりスリープモードから通常状態へ復帰する際に障害が発生して正常に復帰できない場合のシステム監視部１４およびＣＰＵ３４で行われる処理の流れの一例を示すフローチャートである。
【００５４】
スリープモードから復帰する際に障害が発生すると、上述のステップ２０２で処理が中断された状態となるため、第２ＲＴＣ３２のアラームがクリアされない。従って、まずステップ３００では、第２ＲＴＣ３２のアラームが発生されてステップ３０２へ移行する。
【００５５】
ステップ３０２では、＃パワーオン信号がＬ（ロー）か否か判定され、該判定が肯定された場合にはステップ３０４へ移行し、否定された場合にはステップ３０８へ移行する。すなわち、＃パワーオン信号の状態に応じて異なるシステムリカバリ信号を出力する。
【００５６】
ステップ３０４では、リカバリ信号発生部５０からシステム制御部１２に対して＃システムリセット信号がアサートされてステップ３０６へ移行し、システム制御部１２のリブート処理が行われてステップ３１２へ移行する。すなわち、電源供給制御部４８が復帰要求を受けて、電源供給部３０に対して電源供給要求信号である＃パワーオン信号がロー出力されているので、システム復帰中に何らかの不具合が発生していると考えられるため、＃システムリセット信号がシステム制御部１２にアサートされ、これによってシステム制御部１２では一旦リブート処理が行われる。
【００５７】
一方、ステップ３０８では、リカバリ信号発生部５０から電源供給制御部４８に対して＃システム復帰信号がアサートされてステップ３１０へ移行し、電源供給制御部４８による復帰処理が行われてステップ３１２へ移行する。すなわち、リカバリ信号発生部５０に＃パワーオン信号がＬ（ロー）が入力されなかった場合には、電源供給制御部４８で復帰要求を受けられなかったか、第１ＲＴＣ３０の不具合が想定され、何れにしても電源供給制御部４８が復帰要求を認識していないため、この場合は＃システム復帰信号が電源供給制御部４８にアサートされる。
【００５８】
そして、ステップ３１２では、時刻指定処理で指定された時刻になったか否か判定され、該判定が肯定されるまで待機してステップ３１４へ移行する。
【００５９】
ステップ３１４では、時刻指定処理が行われて一連の処理を終了する。
【００６０】
このように、本発明の実施の形態に係わる情報処理装置では、２つのＲＴＣを設けて、それぞれの設定時刻を、システムのリブート時間及び復帰時間を考慮して設定して、復帰処理が行われるので、時刻指定処理等によりシステムをスリープモードから通常状態へ復帰させる必要があって通常状態へ復帰できないような場合であっても、指定時刻に間に合うように機器が正常に復帰され、処理が開始される。従って、単一のＲＴＣを備えた情報処理装置に比べて、時刻指定処理等の信頼性が向上される。
【００６１】
なお、上記の実施の形態では、画像形成装置の各種処理を行う情報処理装置として説明したが、画像形成装置に限るものではなく、各種情報を処理する情報処理装置を適用するようにしてもよい。
【図面の簡単な説明】
【００６２】
【図１】本発明の実施の形態に係わる情報処理装置の概略構成を示すブロック図である。
【図２】第１ＲＴＣ及び第２ＲＴＣの設定を説明するための図である。
【図３】本発明の実施の形態に係わる情報処理装置の詳細な構成を示すブロック図である。
【図４】リカバリ信号発生部からの入出力値を表す真理値表である。
【図５】本発明の実施の形態に係わる情報処理装置において、スリープモードへ移行する際のＣＰＵで行われる処理の流れの一例を示すフローチャートである。
【図６】本発明の実施の形態に係わる情報処理装置において、時刻指定処理によりスリープモードから障害なく正常に復帰する際のＣＰＵで行われる処理の流れの一例を示すフローチャートである。
【図７】本発明の実施の形態に係わる情報処理装置において、時刻指定処理によりスリープモードから復帰する際に障害が発生して正常に復帰できない場合のＣＰＵで行われる処理の流れの一例を示すフローチャートである。
【符号の説明】
【００６３】
１０    情報処理装置
１２    システム制御部
１４    システム監視部
２８    電源供給部
３０    第１ＲＴＣ
３２    第２ＲＴＣ
３４    ＣＰＵ
４８    電源供給制御部
５０    リカバリ信号発生部
【図１】
2009055393.tif 000003
【図２】
2009055393.tif 000004
【図３】
2009055393.tif 000005
【図４】
2009055393.tif 000006
【図５】
2009055393.tif 000007
【図６】
2009055393.tif 000008
【図７】
2009055393.tif 000009